(57)【特許請求の範囲】
【請求項１】
可変周波数の交流電力を電動機に供給するセルユニットと、
前記セルユニットに設けられ、前記セルユニットの第１監視内容に関する値を測定する第１センサと、
前記セルユニットに設けられ、前記セルユニットの第２監視内容に関する値を測定する第２センサと、
記憶部と、
前記第１センサの出力結果と前記第２センサの出力結果とを監視し、前記第１センサの出力結果と前記第２センサの出力結果とのうち少なくとも一方に基づいて前記セルユニットを制御する、又は保護する第１制御部と、
前記セルユニットが第１状態にある場合に、第１サンプリング周期で測定された前記第１センサの出力結果を少なくとも第１期間に亘って前記記憶部に保持させるとともに、前記第２センサの出力結果を前記記憶部に保持させず、前記第１センサの出力結果と前記第２センサの出力結果とのうち少なくとも一方の変化が第１条件を満たす第２状態に前記セルユニットが遷移した場合に、前記第１サンプリング周期よりも短い第２サンプリング周期で測定された前記第１センサの出力結果を前記記憶部に保持させる第１動作、前記第１期間よりも長い第２期間に亘って前記第１センサの出力結果を前記記憶部に保持させる第２動作、および前記第１センサの出力結果に代えて前記第２センサの出力結果を前記記憶部に保持させる第３動作のうち少なくとも一つを実行する第２制御部と、
を備えた電力変換装置。
【請求項２】
前記第２制御部は、前記セルユニットが前記第２状態に遷移した場合に、前記第１動作を実行する、
請求項１に記載の電力変換装置。
【請求項３】
前記第２制御部は、前記セルユニットが前記第２状態に遷移した場合に、前記第２動作を実行する、
請求項１に記載の電力変換装置。
【請求項４】
前記第２制御部は、前記第１センサの出力結果の変化が前記第１条件を満たす場合に、前記第１動作と前記第２動作とのうち少なくとも一方を実行する、
請求項１に記載の電力変換装置。
【請求項５】
前記セルユニットは、第１電力変換部と、第２電力変換部とを含み、
前記第１センサは、前記第１電力変換部に設けられ、
前記第２センサは、前記第２電力変換部に設けられ、
前記第２制御部は、前記第１電力変換部に関して故障の予兆があることを示す所定の動作が実行された場合に、前記第１動作と前記第２動作とのうち少なくとも一方を実行する、
請求項１に記載の電力変換装置。
【請求項６】
前記第２制御部は、前記セルユニットが前記第２状態に遷移した場合に、前記第３動作を実行する、
請求項１に記載の電力変換装置。
【請求項７】
前記第２制御部は、前記第２センサの出力結果の変化が前記第１条件を満たす場合に、前記第３動作を実行する、
請求項１に記載の電力変換装置。
【請求項８】
前記第１センサおよび前記第２センサを含む複数のセンサをさらに備え、
前記第２制御部は、前記複数のセンサにより測定された値の平均値に対する前記第２センサにより測定された前記第２監視内容に関する値の偏差が、前記平均値に対する前記第１センサにより測定された前記第１監視内容に関する値の偏差よりも大きい場合に、前記第３動作を実行する、
請求項１に記載の電力変換装置。
【請求項９】
前記第２制御部は、前記第２センサにより測定された前記第２監視内容に関する値が前記第１センサにより測定された前記第１監視内容に関する値を超えた場合に、前記第３動作を実行する、
請求項１に記載の電力変換装置。
【請求項１０】
前記第２制御部は、前記第３動作として、前記第１サンプリング周期よりも短い第３サンプリング周期で測定された前記第２センサの出力結果を前記記憶部に保持させる動作と、前記第１期間よりも長い第３期間に亘って前記第２センサの出力結果を前記記憶部に保持させる動作とのうち少なくとも一方を実行する、
請求項１に記載の電力変換装置。
【請求項１１】
前記セルユニットは、第１電力変換部と、第２電力変換部とを含み、
前記第１センサは、前記第１電力変換部に設けられ、
前記第２センサは、前記第２電力変換部に設けられ、
前記第２制御部は、前記第２電力変換部に関して故障の予兆があることを示す所定の動作が実行された場合に、前記第３動作を実行する、
請求項１に記載の電力変換装置。
【請求項１２】
前記セルユニットは、交流電力の第１相に関する電力を変換する第１電力変換部と、前記交流電力の第２相に関する電力を変化する第２電力変換部とを含み、
前記第１センサは、前記第１電力変換部に設けられ、
前記第２センサは、前記第２電力変換部に設けられた、
請求項１に記載の電力変換装置。
【請求項１３】
前記セルユニットに設けられ、前記セルユニットの第３監視内容に関する値を測定する第３センサをさらに備え、
前記第１制御部は、前記第１センサの出力結果および前記第２センサの出力結果に加え、前記第３センサの出力結果を監視し、
前記第２制御部は、前記セルユニットが前記第１状態にある場合に、第４サンプリング周期で測定された前記第３センサの出力結果を少なくとも第４期間に亘って前記記憶部に保持させ、前記セルユニットが前記第２状態に遷移した場合に、前記第４サンプリング周期よりも長い第５サンプリング周期で測定された前記第３センサの出力結果を前記記憶部に保持させる第４動作、前記第４期間よりも短い第５期間に亘って前記第３センサの出力結果を前記記憶部に保持させる第５動作、前記第３センサの出力結果の保持を停止させる第６動作のうち少なくとも一つを実行する、
請求項１に記載の電力変換装置。
【発明の詳細な説明】
【技術分野】
【０００１】
本発明の実施形態は、電力変換装置に関する。
【背景技術】
【０００２】
従来、制御装置によって制御される対象装置（例えば、電力変換装置）において発生した故障の原因究明に役立てるため、電力変換装置の電圧、電流、温度等を測定した測定信号や、制御装置から出力される制御信号を記憶する記憶制御装置に関する技術が知られている。【０００３】
ここで、記憶制御装置に記憶される情報は、故障発生時からより長い時間まで遡って監視対象の状態を確認できる情報であり、且つ、より多くの情報が記憶されていることが好ましい。しかしながら、記憶制御装置が記憶できる情報量は、記憶制御装置が備える記憶部の容量に依存するため、複数のセルユニットで構成される電力変換装置においてはすべての情報を長時間に亘って記憶することは困難である。
【先行技術文献】
【特許文献】
【０００４】
【特許文献１】日本国特開２００７−３０６７５８号公報
【発明の概要】
【発明が解決しようとする課題】
【０００５】
本発明が解決しようとする課題は、発生した故障の原因究明により適した情報を収集可能な電力変換装置を提供することである。
【課題を解決するための手段】
【０００６】
実施形態の電力変換装置は、セルユニットと、第１センサと、第２センサと、記憶部と、第１制御部と、第２制御部と、を備えている。前記セルユニットは、直流電力と交流電力との間で電力を変換する。
前記第１センサは、前記セルユニットに設けられ、前記セルユニットの第１監視内容に関する値を測定する。前記第２センサは、前記セルユニットに設けられ、前記セルユニットの第２監視内容に関する値を測定する。前記第１制御部は、前記第１センサの出力結果と前記第２センサの出力結果とを監視し、前記第１センサの出力結果と前記第２センサの出力結果とのうち少なくとも一方に基づいて前記セルユニットを制御する、又は保護する。前記第２制御部は、前記セルユニットが第１状態にある場合に、第１サンプリング周期で測定された前記第１センサの出力結果を少なくとも第１期間に亘って前記記憶部に保持させるとともに、前記第２センサの出力結果を前記記憶部に保持させず、前記第１センサの出力結果と前記第２センサの出力結果とのうち少なくとも一方の変化が第１条件を満たす第２状態に前記セルユニットが遷移した場合に、前記第１サンプリング周期よりも短い第２サンプリング周期で測定された前記第１センサの出力結果を前記記憶部に保持させる第１動作、前記第１期間よりも長い第２期間に亘って前記第１センサの出力結果を前記記憶部に保持させる第２動作、および前記第１センサの出力結果に代えて前記第２センサの出力結果を前記記憶部に保持させる第３動作のうち少なくとも一つを実行する。
【図面の簡単な説明】
【０００７】
【図１】実施形態を適用する電力変換装置の一例を示す図。
【図２】実施形態を適用するセルユニットを示す図。
【図３】実施形態を適用する電力変換装置の一例を示す斜視図。
【図４】図３に示された電力変換装置のＦ４−Ｆ４線に沿う断面図。
【図５】実施形態の記憶制御装置の構成の一例を示す図。
【図６】実施形態の監視対象情報の内容の一例を示す図。
【図７】実施形態のログ情報の内容の一例を示す図。
【図８】実施形態の記憶制御装置の動作の一例を示すフローチャート。
【発明を実施するための形態】
【０００８】
以下、実施形態の電力変換装置を、図面を参照して説明する。なお以下の説明では、同一または類似の機能を有する構成に同一の符号を付す。そして、それら構成の重複する説明は省略する場合がある。なお以下で参照する図面は、説明の便宜上、制御用のゲート配線などの図示が省略されている場合がある。
【０００９】
ここで、「正極Ｐ」、「負極Ｎ」、および「中性点Ｃ」について先に定義する。「正極Ｐ」とは、電力変換装置１が動作している場合に、正電位となる部位を意味する。「負極Ｎ」とは、電力変換装置１が動作している場合に、負電位となる部位を意味する。「中性点Ｃ」とは、電力変換装置１が動作している場合に、中性点クランプ型（ＮＰＣ型）の電力変換装置１において正極Ｐと負極Ｎとの間の中間の電位（中性点電位）となる部位を意味する。
【００１０】
図１から図９を参照して、実施形態の電力変換装置１について説明する。電力変換装置１は、例えば、交流電源ＰＳから供給される交流電力を直流電力に変換し、変換した直流電力を所望の周波数・電圧の交流電力に変換して負荷Ｌに供給する。負荷Ｌは、例えば、電動機であるが、これに限定されない。本実施形態では、電力変換装置１が複数のセルユニット６を備える例について説明する。なお、電力変換装置１は、複数のセルユニット６に代えて、３相コンバータおよび３相インバータを備えてもよい。
【００１１】
＜１．電気的構成＞
＜１．１  全体構成＞
まず、電力変換装置１の電気的な全体構成について説明する。図１は、電力変換装置１の一例を示す図である。図１では、電気回路系統を単線で示すとともに、開閉器などの図示を省略している。電力変換装置１は、例えば、入力変圧器５と、複数のセルユニット６と、制御装置７とを備えている。
【００１２】
入力変圧器５には、交流電源ＰＳから交流電力が供給される。入力変圧器５は、交流電源ＰＳから供給された交流電力を所望の電圧に変圧するとともに、変圧した交流電力を複数のセルユニット６のそれぞれに供給する。入力変圧器５の２次側は、互いに絶縁された複数群の巻き線を有する。
【００１３】
各セルユニット６は、入力変圧器５の２次巻線から供給されたそれぞれ３相の交流電力を直流電力に変換し、変換した直流電力を所望の周波数・電圧の交流電力に変換して出力する。本実施形態では、複数のセルユニット６は、３台の負荷第１相のセルユニット６Ａ１、６Ａ２、６Ａ３、３台の負荷第２相のセルユニット６Ｂ１、６Ｂ１、６Ｂ３および３台の負荷第３相のセルユニット６Ｃ１、６Ｃ２、６Ｃ３を含む。
【００１４】
各セルユニットは同一の回路構成である。入力変圧器５の２次側第１群はセルユニット６Ａ１の入力に接続されている。入力変圧器５の２次側第２群はセルユニットＶ１の入力に接続されている。入力変圧器５の２次側第３群はセルユニットＷ１の入力に接続されている。入力変圧器５の２次側第４群はセルユニット６Ａ２の入力に接続されている。入力変圧器５の２次側第５群はセルユニット６Ｂ２の入力に接続されている。入力変圧器５の２次側第６群はセルユニット６Ｃ２の入力に接続されている。入力変圧器５の２次側第７群はセルユニット６Ａ３の入力に接続されている。入力変圧器５の２次側第８群はセルユニット６Ｂ３の入力に接続されている。入力変圧器５の２次側第９群はセルユニット６Ｃ３の入力に接続されている。
【００１５】
本実施形態では、セルユニット６Ａ１、６Ａ２、６Ａ３は、この順番で、出力が互いに電気的に直列に接続されている。セルユニット６Ａ３のセルユニット６Ａ２と接続されない出力端子は、負荷Ｌの第１相に接続されている。セルユニット６Ａ１のセルユニット６Ａ２と接続されない出力端子は中性点に接続される。本実施形態では、セルユニット６Ｂ１、６Ｂ２、６Ｂ３は、この順番で、出力が互いに電気的に直列に接続されている。セルユニット６Ｂ３のセルユニット６Ｂ２と接続されない出力端子は、負荷Ｌの第３相に接続されている。セルユニット６Ｂ１のセルユニット６Ｂ２と接続されない出力端子は中性点に接続される。本実施形態では、第３相のセルユニット６Ｃ１、６Ｂ２、６Ｂ３は、この順番で、出力が互いに電気的に直列に接続されている。セルユニット６Ｃ３のセルユニット６Ｃ２と接続されない出力端子は、負荷Ｌの第３相に接続されている。セルユニット６Ｃ１のセルユニット６Ｃ２と接続されない出力端子は中性点に接続される。これにより、電力変換装置１は、大容量の交流電力を負荷Ｌに供給可能である。
【００１６】
制御装置７は、複数のセルユニット６を制御する、又は保護する。例えば、制御装置７は、図示されない電圧センサからの交流電源ＰＳの電圧を示す情報、電圧センサＶＭ（図１においては不図示）や電流センサＡＭ（図１においては不図示）により検出された各セルユニットの直流電圧や入力連流を示す情報および、図示されない電力変換装置１から負荷Ｌに出力される電流を検出する電流センサから出力される電流を示す情報に基づき、各セルユニット６に含まれるスイッチング素子を制御するための制御信号を送ることで、各セルユニット６を制御する。また、制御装置７は、負荷Ｌの制御状態を示す信号（例えば、回転数のフィードバック信号）を取得し、当該フィードバック信号に基づいて、各セルユニット６を制御する。また、制御装置７は、他の装置から負荷Ｌの制御指令信号を取得し、当該制御指令信号に基づいて、各セルユニット６を制御する。制御装置７は、「第１制御部」の一例である。
【００１７】
＜１．２  セルユニット＞
次に、セルユニット６について説明する。ここで、セルユニット６Ａ１、６Ａ２、６Ａ３、６Ｂ１、６Ｂ２、６Ｂ３、６Ｃ１、６Ｃ２、６Ｃ３、は外部の接続が異なることを除き、全て略同じ内部構造である。このため以下では、これらを代表して第１セルユニット６Ａ１について説明する。
【００１８】
図２は、第１セルユニット６Ａ１を示す図である。第１セルユニット６Ａは、例えば、コンバータ１２と、インバータ１３と、コンデンサＣ１と、電流センサＡＭ１−Ａ１、および電流センサＡＭ２−Ａ１と、セルユニット制御部ＣＵＣと、温度センサＴＭ１−Ａ１と、電圧センサＶＭ−Ａ１とを含む。コンバータ１２とインバータ１３は互いに正極（Ｐ）同士、および負極（Ｎ）極同士が電気的に接続される。コンデンサＣ１の端子は正極と負極に電気的に接続されている。
【００１９】
ここで、セルユニット６が備える各構成の末尾には、当該セルユニット６を識別する符号（例えば、Ａ１〜Ａ３、Ｂ１〜Ｂ３、Ｃ１〜Ｃ３）が付される。例えば、符号の末尾に「−Ａ１」が付される構成は、第１セルユニット６Ａ１に係る構成であることを示し、符号の末尾に「−Ｂ１」が付される構成は、第２相のセルユニット６Ｂ１に係る構成であることを示す。他のセルユニット６についても同様である。また、各構成が、どのセルユニット６に係る構成であるかを互いに区別しない場合には、セルユニット６を識別する符号を省略して記載する。
【００２０】
コンバータ１２は、３相のコンバータであり、その入力部が入力変圧器５の二次側のひとつの群に電気的に接続されている。コンバータ１２は、入力変圧器５から入力された交流電力を直流に変換する。またコンバータ１２の入力部には、入力変圧器５からコンバータ１２に入力される入力電流を検出する電流センサＡＭ１−Ａ１が交流入力の第１相に、電流センサＡＭ２−Ａ１が交流入力の第３相に設けられている。交流入力の第２相の電流は電流センサＡＭ１−Ａ１と電流センサＡＭ２−Ａ１の値から求めることができるので省略することができる。コンデンサＣ１は、変換後の直流電圧を平滑化する。コンデンサＣ１の両端には電圧センサＶＭが接続されている。電圧センサＶＭ−Ａ１はコンデンサの端子電圧すなわちセルユニット６Ａ１の直流電圧を検出する。なお、電流センサＡＭ１と電流センサＡＭ２とを互いに区別しない場合には、単に電流センサＡＭと記すことがある。
【００２１】
インバータ１３は、単相のインバータであり、その出力が他のセルユニット６に電気的に接続されている。インバータ１３は、例えば、変換後の交流電力の第１相を負荷Ｌに出力する。
【００２２】
制御装置７からのゲートパルス信号はセルユニット制御部ＣＵＣ経由でコンバータ１２およびインバータ１３を構成するスイッチング素子に与えられる。
【００２３】
コンバータ１２およびインバータ１３は各々複数のスイッチング素子で構成されており、これらのスイッチング素子は図示されないヒートシンクに密に結合され、スイッチング素子にて発生する熱をヒートシンクにより放熱し、スイッチング素子の温度を所定値以下に保つように構成されている。また、ヒートシンクには、ヒートシンクの温度を検出するための温度センサＴＭ１が設けられている。
【００２４】
電圧センサＶＭ−Ａ１で検出されたセルユニット６Ａ１の直流電圧はセルユニット制御部ＣＵＣ経由で制御装置７および記憶制御装置１００に送信される。電流センサＡＭ１−Ａ１、および電流センサＡＭ２−Ａ１で検出されたセルユニット６Ａ１の入力電流はセルユニット制御部ＣＵＣ経由で制御装置７および記憶制御装置１００に送信される。
【００２５】
また、以降の説明において、「セルユニットの直流電圧であり、電圧センサＶＭによって測定された直流電圧を示す情報」は、測定信号の他の一例である。また、電圧センサＶＭによって測定されるセルユニットの直流電圧は、「監視対象」の一例である。
【００２６】
以降の説明において、「セルユニットの入力電流であり、電流センサＡＭによって測定された入力電流を示す情報」は、測定信号の他の一例である。また、電流センサＡＭによって測定されるセルユニットの入力電流は、「監視対象」の一例である。
【００２７】
以降の説明において、「セルユニットのヒートシンク温度であり、温度センサＴＭ１によって測定されたヒートシンクの温度を示す情報」は、測定信号の他の一例である。また、温度センサＴＭ１によって測定されるセルユニットのヒートシンク温度は、「監視対象」の一例である。
【００２８】
＜２．物理的構成＞
＜２．１  全体構成＞
次に、電力変換装置１の物理的構成について説明する。図３は、電力変換装置１の一例を示す斜視図である。ここで、＋Ｘ方向、−Ｘ方向、＋Ｙ方向、−Ｙ方向、＋Ｚ方向、および−Ｚ方向について定義する。＋Ｘ方向、−Ｘ方向、＋Ｙ方向、および−Ｙ方向は、略水平面に沿う方向である。＋Ｘ方向は、電力変換装置１の前面から後面に向かう方向である。−Ｘ方向は、＋Ｘ方向とは反対方向である。＋Ｘ方向と−Ｘ方向とを区別しない場合は、単に「Ｘ方向」と称する。＋Ｙ方向および−Ｙ方向は、Ｘ方向とは異なる（例えば、略直交する）方向である。＋Ｙ方向は、電力変換装置１の前面を正面視した視点から見て、右側に進む方向である。−Ｙ方向は、＋Ｙ方向とは反対方向である。＋Ｙ方向と−Ｙ方向とを区別しない場合は、単に「Ｙ方向」と称する。＋Ｚ方向および−Ｚ方向は、Ｘ方向およびＹ方向とは異なる（例えば、略直交する）方向であり、略鉛直方向である。＋Ｚ方向は、上方に進む方向である。−Ｚ方向は、＋Ｚ方向とは反対方向である。＋Ｚ方向と−Ｚ方向とを区別しない場合は、単に「Ｚ方向」と称する。＋Ｘ方向は、「第１方向」の一例である。＋Ｙ方向は、「第２方向」の一例である。−Ｙ方向は、「第３方向」の一例である。
【００２９】
ここでは、セルユニット６の設置構造を中心に説明する。電力変換装置１は、例えば、筐体２０と、複数のセルユニット６（図３では１つのみ示す）と、複数のファン２７とを備えている。
【００３０】
筐体２０は、箱状に形成されている。筐体２０は、複数のセルユニット６を一体に収容する。筐体２０は、例えば、開口部２１と、前面カバー２２と、複数の棚板２３とを有する。
【００３１】
開口部２１は、−Ｘ方向に開口している。ここで、セルユニット６は、コンデンサＣ１が含まれるコンデンサユニットＣＵと、コンデンサＣ１以外の構成が含まれるユニット（以下、素子ユニットＥＵ）とを含む。素子ユニットＥＵおよびコンデンサユニットＣＵは、それぞれ開口部２１を通じて筐体２０の外部から筐体２０内に挿入される。素子ユニットＥＵは、素子ユニットＥＵおよびコンデンサユニットＣＵが筐体２０に収容された状態で、コンデンサユニットＣＵに比べて、開口部２１の近くに配置される。
【００３２】
前面カバー２２は、開口部２１を開閉可能に閉じている。前面カバー２２は、各セルユニット６に面する複数の通気部２２ａを有する。筐体２０の外部の空気は、通気部２２ａを通じて筐体２０内に流入可能である。
【００３３】
複数の棚板２３は、筐体２０内に設けられている。複数の棚板２３は、Ｚ方向に複数段（例えば、３段）に分かれて配置されている。さらに、複数の棚板２３は、Ｚ方向の各段において、Ｙ方向に複数列（例えば、３列）に分かれて配置されている。これにより、筐体２０内には、複数（例えば、合計９つ）の収容部２４が形成されている。
【００３４】
複数のセルユニット６は、筐体２０内の複数の収容部２４に分かれて収容される。セルユニット６は、棚板２３の上に載置され、棚板２３によって下方から支持される。本実施形態では、素子ユニットＥＵおよびコンデンサユニットＣＵは、筐体２０の外部から収容部２４に順に挿入され、収容部２４に挿入された後に互いに連結される。
【００３５】
複数のファン２７は、例えば、筐体２０の上部に設けられている。ファン２７は、セルユニット６の隙間（例えば、素子ユニットＥＵおよびコンデンサユニットＣＵの隙間）に風の流れを生じさせる。
【００３６】
図４は、図３に示された電力変換装置１のＦ４−Ｆ４線に沿う断面図である。筐体２０内には、それぞれ風の流れを規定する第１仕切り部材２５と複数の第２仕切り部材２６とが設けられている。第１仕切り部材２５は、最上段に配置されるセルユニット６の上方に位置する。第１仕切り部材２５は、Ｘ方向およびＹ方向に沿う板状に形成されている。第２仕切り部材２６は、セルユニット６とその上方に位置した棚板２３との間、または、セルユニット６とその上方に位置した第１仕切り部材２５との間に設けられている。第２仕切り部材２６は、Ｙ方向およびＺ方向に沿う板状に形成されている。第２仕切り部材２６は、セルユニット６とその上方に位置した棚板２３との間、または、セルユニット６とその上方に位置した第１仕切り部材２５との間の冷却風の通り道を塞いでいる。例えば、第２仕切り部材２５は、素子ユニットＥＵとコンデンサユニットＣＵとの接続部（境界部）の上方に設けられる。上述した構成により、冷却風がセルユニット６の冷却フィンを通り抜け、セルユニット６を効果的に冷却することができる。
【００３７】
本実施形態では、複数のファン２７は、筐体２０の奥部（＋Ｘ方向側の端部）の空気を吸い込み、吸い込んだ空気を筐体２０の外部に排気する。これにより、筐体２０の前面カバー２２の通気部２２ａを通じて筐体２０の外部の空気が筐体２０内に流入する。筐体２０内に流入した空気は、セルユニット６の内部を通過することでセルユニット６の放熱を促進する。セルユニット６の内部を通過することで暖められた空気は、ファン２７の駆動に伴い筐体２０の外部に排気される。
【００３８】
また、筐体２０には、筐体２０内に流入した空気の温度を検出する温度センサＴＭが備えられる。図４に示される一例では、筐体２０は、上述した温度センサＴＭ１−Ｂ１〜ＴＭ１−Ｂ３と、セルユニット６によって温められる前の空気の温度（つまり、電力変換装置入口温度）を検出する温度センサＴＭ２−Ｂ１〜ＴＭ２−Ｂ３と、セルユニット６によって温められた後の温度（つまり、電力変換装置出口温度）を検出する温度センサＴＭ３−Ｂ１〜ＴＭ３−Ｂ３と、を備える。記憶制御装置１００は、温度センサＴＭによって測定されたセルユニット６のヒートシンク温度を示す情報を取得する。以降の説明において、「セルユニット６のヒートシンク温度を示す情報」は、測定信号の他の一例である。
【００３９】
また、筐体２０には、コンバータ１２やインバータ１３の各種端子間を接続するブスの温度であって、入力変圧器５に接続される箇所のブス（以下、入力ブス）の温度（つまり、入力ブス温度）を検出する温度センサＴＭ４（不図示）と、コンバータ１２やインバータ１３の各種端子間を接続するブスの温度であって、負荷Ｌに接続される箇所のブス（以下、出力ブス）の温度（つまり、出力ブス温度）を検出する温度センサ温度センサＴＭ５（不図示）とを備える。
【００４０】
＜３．記憶制御装置＞
＜３．１  記憶制御装置の全体構成＞
図５は、記憶制御装置１００の構成の一例を示す図である。図５に示される通り、通信部１１０と、制御部１２０と、記憶部１３０とを備える。
【００４１】
通信部１１０は、ＰＣＩ（Peripheral Component Interconnect）などの通信線を介して電流センサＡＭ、電圧センサＶＭ、温度センサＴＭ、および制御装置７と通信する。なお、通信部１１０は、ネットワークを介して電力変換装置１の外部装置と通信を行うものと、通信線を介して電力変換装置１の内部の機器と通信を行うものと、それぞれ別体であってもよい。セルユニット６内の各種センサ（例えば、電流センサＡＭ１―Ａ１、電流センサＡＭ２−Ａ１、電圧センサＶＭ−Ａ１、温度センサＴＭ１−Ａ１等）の信号は、セルユニット制御部ＣＵＣ経由で通信部１１０に送信される。セルユニット内に設けられていない温度センサＴＭ２〜ＴＭ５や電力変換装置１の出力電流、変圧器５の入力電流、交流電源ＰＳの電圧（変圧器５の１次側電圧）の信号は、図５に示す様に直接通信部１１０と通信してもよいし、制御部７を経由してもよい。
【００４２】
制御部１２０は、例えば、取得部１２２と、判定部１２４と、決定部１２６と、選択部１２８とを備える。制御部１２０は、例えば、ＣＰＵ（Central Processing Unit）等のプロセッサが記憶部１３０に記憶されたプログラムを実行することにより実現されてよい。また、制御部１２０は、ＬＳＩ（Large Scale Integration）やＡＳＩＣ（Application Specific Integrated Circuit）、ＦＰＧＡ（Field-Programmable Gate Array）等のハードウェアによって実現されてもよいし、ソフトウェアとハードウェアの協働によって実現されてもよい。各機能部の詳細については、後述する。
【００４３】
記憶部１３０は、例えば、ＲＯＭ（Read Only Memory）、フラッシュメモリ、ＨＤＤ（Hard Disk Drive）、ＳＤカード、ＭＲＡＭ（Magnetoresistive Random Access Memory）、ＲＡＭ（Random Access Memory）、ＥＥＰＲＯＭ（Electrically Erasable and Programmable Read-Only Memory）レジスタ等によって実現されてよい。記憶部１３０は、制御部１２０のプロセッサが実行するプログラム、監視対象情報１３２、およびログ情報１３４を格納する。
【００４４】
＜３．２  各種情報＞
＜３．２．１  監視対象情報＞
図６は、監視対象情報１３２の内容の一例を示す図である。図６に示される通り、監視対象情報１３２には、例えば、信号供給元を示す情報と、測定信号が測定された測定対象、又は制御信号の制御対象を示す情報と、信号供給元から取得した測定信号、又は制御信号を取得する取得間隔を示す情報と、取得した測定信号、又は制御信号を記憶する記憶時間を示す情報とが互いに対応付けられたレコードと、レコードを識別する識別情報（図示するＩＤ）とが含まれる。信号供給元は、例えば、電力変換装置１のうち、測定信号を供給する電圧センサＶＭ、電流センサＡＭ、或いは温度センサＴＭが、電圧、電流、或いは温度を測定する構成（装置）およびセルユニット、又は制御信号を供給する制御装置７を示す情報である。測定対象は、例えば、電圧センサＶＭが電圧を測定する測定対象、電流センサＡＭが電流を測定する測定対象、或いは温度センサＴＭが温度を測定する測定対象である。以降の説明において、測定信号と制御信号とを互いに区別しない場合には、総称して「信号」と記載する。監視対象情報１３２に示される信号供給元の電圧センサＶＭ、電流センサＡＭ、温度センサＴＭ、又は制御装置７は、「第１センサ」の一例である。また、監視対象情報１３２に示される記憶時間は、「第１期間」、及び「第４期間」の一例である。また、監視対象情報１３２に示される取得間隔は、「第１サンプリング周期」、及び「第４サンプリング周期」の一例である。また、「第１センサ」である信号供給元から供給（取得）される信号が示す情報は、「第１監視内容」の一例である。また、監視対象情報１３２に示される信号供給元の電圧センサＶＭ、電流センサＡＭ、温度センサＴＭ、又は制御装置７が設置される監視対象は、「第１電力変換部」の一例である。
【００４５】
＜３．２．２  ログ情報＞
図７は、ログ情報１３４の内容の一例を示す図である。図７に示される通り、ログ情報１３４は、制御部１２０の制御によって、信号供給元から取得した信号の値を示す情報と、当該信号を取得した日時とが、信号供給元毎に互いに対応付けられた情報である。
【００４６】
＜３．３  制御部が備える各機能部＞
取得部１２２は、通信部１１０によって電流センサＡＭ、電圧センサＶＭ、温度センサＴＭ、或いは制御装置７から取得された複数のチャネルの信号を取得する。複数のチャネルの信号とは、信号の種類（例えば、電流の測定信号、電圧の測定信号、或いは温度の測定信号等）が互いに異なる信号である。
【００４７】
判定部１２４は、取得された複数のチャネルの信号に基づいて、電力変換装置１に所定の変化が生じたか否かを判定する。所定の変化とは、例えば、電力変換装置１に生じる故障の予兆を示す変化である。判定部１２４が所定の変化が生じたと判定する判定条件は、例えば、（１）複数のチャネルの信号のうち、一部または全部が所定の閾値を超えたこと、（２）複数のチャネルの信号のうち、一部または全部の信号間における所定の関係が変化すること、（３）複数のチャネルの信号のうち、一部または全部が、複数の信号の平均値から乖離すること等である。
【００４８】
判定条件（１）における所定の閾値は、例えば、電力変換装置１に故障の予兆が生じていない状態における値であり、当該状態において電流センサＡＭによって測定される電流と合致する値、当該状態において電圧センサＶＭによって測定される電圧と合致する値、当該状態において温度センサＴＭによって測定される温度と合致する値、当該状態において制御装置７から出力される制御信号の値等である。判定部１２４は、信号がこれらの閾値を超えた場合、判定条件（１）を満たすと判定する。
【００４９】
判定条件（２）における所定の関係は、例えば、電力変換装置１に故障の予兆が生じていない状態における同一チャネルの信号間に生じる関係である。具体的には、所定の関係は、例えば、電力変換装置１に故障の予兆が生じていない状態における関係であって、温度センサＴＭ１〜ＴＭ３によってそれぞれ測定される測定信号同士が示す温度の高さの関係、スイッチング回路の各電圧センサＶＭによってそれぞれ測定される測定信号同士が示す電圧の大きさの関係、電流センサＡＭによってそれぞれ測定される測定信号同士が示す電流の大きさの関係、制御装置７から供給される制御信号同士が示す値の大きさの関係等である。例えば、図４に示される一例では、故障の予兆が生じていない状態において、上段、中段、及び下段の温度は、いずれも同程度の温度（上段温度＝中段温度＝下段温度）の関係にある。しかしながら、故障の予兆が生じている状態において、故障の予兆が生じている装置が設置されている段の温度が高くなり、（故障が生じている段の温度＞他の段の温度）という関係に変化する。したがって、判定部１２４は、温度センサＴＭ１〜ＴＭ３によってそれぞれ測定される測定信号同士が示す温度の高さの関係が変化した場合、判定条件（２）を満たすと判定する。
【００５０】
判定条件（３）における複数の信号の平均値は、例えば、電力変換装置１に故障の予兆が生じていない状態における値であり、当該状態において電流センサＡＭによって測定される電流の平均値、当該状態において電圧センサＶＭによって測定される電圧の平均値、当該状態において温度センサＴＭによって測定される温度の平均値、当該状態において制御装置７から出力される制御信号の平均値等である。判定部１２４は、複数のチャネルの信号のうち、一部または全部が、複数の信号の平均値から乖離した場合、判定条件（３）を満たすと判定する。
【００５１】
電力変換装置１に故障の予兆が生じていない状態（つまり、通常状態）は、「第１状態」の一例であり、電力変換装置１に故障の予兆が生じている状態は、「第２状態」の一例である。
【００５２】
決定部１２６は、判定部１２４によって、所定の変化が生じたと判定される場合、監視対象情報１３２の内容を決定（変更）する。決定部１２６が監視対象情報１３２を決定する決定態様は、例えば、（Ａ）あるチャネルの信号のうち、ログ情報１３４として記憶する信号を変更すると決定する、（Ｂ）ログ情報１３４に記憶する時間を長くする、（Ｃ）信号を取得する取得間隔を短くすると決定する等である。なお、決定部１２６の決定態様（Ａ）〜（Ｃ）は、一例であってこれに限られない。
【００５３】
後述する決定態様（Ａ）は、「第３動作」および「第６動作」の一例である。また、後述する決定態様（Ｂ）は、「第２動作」および「第５動作」の一例である。また、後述する決定態様（Ｃ）は、「第１動作」および「第４動作」の一例である。また、決定部１２６は、「第２制御部」の一例である。
【００５４】
選択部１２８は、決定部１２６によって決定された監視対象情報１３２に基づいて、取得部１２２によって取得された信号の中から、監視対象の信号を選択し、ログ情報１３４として記憶させる。
【００５５】
＜３．４  記憶制御装置の動作＞
図８は、記憶制御装置１００の動作の一例を示すフローチャートである。取得部１２２は、電流センサＡＭ、電圧センサＶＭ、或いは温度センサＴＭから測定信号を取得する（ステップＳ１０２）。次に、取得部１２２は、制御装置７から電力変換装置１の制御信号を取得する（ステップＳ１０４）。ステップＳ１０２、およびステップＳ１０４の処理は、同時、或いは逆の順序によって実行されてもよい。
【００５６】
次に、判定部１２４は、取得部１２２によって取得された信号に基づいて、所定の変化が生じたか否かを判定する（ステップＳ１０６）。判定部１２４は、例えば、取得部１２２によって取得された複数のチャネルの信号が、（１）〜（３）の判定条件を満たすか否かをチャネル毎に判定する。判定部１２４は、所定の変化が生じたと判定する（１）〜（３）の判定条件のうち、いずれか１つでも満たす場合には、所定の変化が生じたと判定し、処理をステップＳ１０８に進める。また、判定部１２４は、所定の変化が生じたと判定する（１）〜（３）の判定条件のうち、いずれも満たさない場合には、所定の変化が生じていないと判定し、処理をステップＳ１１０に進める。
【００５７】
なお、判定部１２４は、所定の変化が生じたと判定する（１）〜（３）の判定条件のうち、２以上の条件が複合的に満たされる場合に、所定の変化が生じたと判定してもよい。
【００５８】
決定部１２６は、判定部１２４によって所定の変化が生じたと判定された場合、監視対象情報１３２の内容を決定（変更）する（ステップＳ１０８）。決定部１２６が監視対象情報１３２の内容を決定する決定処理の詳細については、後述する。
【００５９】
次に、選択部１２８は、決定部１２６によって決定された監視対象情報１３２に基づいて、取得部１２２によって取得された信号の中から、監視対象の信号を選択し、ログ情報１３４として記憶させる（ステップＳ１１０）。選択部１２８は、例えば、監視対象情報１３２に示される監視対象の測定信号を、監視対象情報１３２に示される取得間隔に基づいて、通信部１１０（取得部１２２）に信号を取得させ、取得させた信号を監視対象情報１３２に示される記憶時間だけ記憶させる。選択部１２８は、例えば、監視対象情報１３２に示される記憶時間だけ、信号を記憶する処理を、記憶時間より古い（以前の）取得日時が対応付けられた信号の情報に、新たに取得した信号の情報を上書きすることによって実現する。この場合、ログ情報１３４の記憶領域は、例えば、記憶時間と、信号の情報量とに応じたリングバッファにより実現される。
【００６０】
なお、通信部１１０（取得部１２２）は、常時、信号を取得してもよい。この場合、選択部１２８は、通信部１１０（取得部１２２）が取得する信号の中から、監視対象情報１３２に示される取得間隔に応じたタイミングに合致する信号を選択し、ログ情報１３４として記憶させる。
【００６１】
＜３．５  決定部の決定処理＞
＜３．５．１  決定態様（Ａ）の決定処理例＞
以下、決定部１２６が、判定部１２４によって所定の変化が生じたと判定された信号に対し、（Ａ）あるチャネルの信号のうち、ログ情報１３４として記憶する信号を変更すると決定（変更）する決定処理の詳細について説明する。
【００６２】
例えば、監視対象情報１３２には、温度センサＴＭ１〜ＴＭ３のうち、温度センサＴＭ２の測定信号をログ情報１３４として記憶することが示されていたとする。判定部１２４によってこれまで監視対象情報１３２に示されていた監視対象とは異なる監視対象（例えば、温度センサＴＭ１）の信号が判定条件（１）を満たすと判定された場合、決定部１２６は、判定条件（１）を満たすと判定された信号をログ情報１３４として記憶するように、監視対象情報１３２を追加する。また、新たな信号（この場合、温度センサＴＭ１から取得した測定信号）をログ情報１３４として記憶することに伴い、監視対象情報１３２からは、これまでに記憶していた信号（この場合、温度センサＴＭ２から取得した測定信号）が削除される。これにより、記憶制御装置１００は、ログ情報１３４には、故障の予兆が生じている監視対象の情報を記憶することができる。
【００６３】
決定部１２６が決定態様（Ａ）を実行することにより、監視対象情報１３２に新たに追加された信号供給元である電圧センサＶＭ、電流センサＡＭ、温度センサＴＭ、又は制御装置７は、「第２センサ」の一例である。また、「第２センサ」に対応付けられる記憶時間は、「第３期間」の一例である。「第３期間」は、上述した「第１期間」よりも時間的に短い期間である。また、「第２センサ」に対応付けられる取得間隔は、「第３サンプリング周期」の一例である。「第３サンプリング周期」は、上述した「第１サンプリング周期」よりも時間的に短い周期である。また、「第２センサ」である信号供給元から供給（取得）される信号が示す情報は、「第２監視内容」の一例である。また、監視対象情報１３２に示される信号供給元の電圧センサＶＭ、電流センサＡＭ、温度センサＴＭ、又は制御装置７が設置される監視対象は、「第２電力変換部」の一例である。
【００６４】
＜３．５．２  決定態様（Ｂ）の決定処理例＞
以下、決定部１２６が、判定部１２４によって所定の変化が生じたと判定された信号に対し、（Ｂ）ログ情報１３４に記憶する時間を長くすると決定（変更）する決定処理の詳細について説明する。
【００６５】
例えば、電力変換装置１に故障が生じ、故障の原因究明を行う場合には、ログ情報１３４には、当該故障が生じたタイミングからより長い時間だけ以前の情報が記憶されていることが好ましい。決定部１２６は、判定条件（１）を満たすと判定された信号をより長く記憶するように、監視対象情報１３２の記憶時間を長く変更する。
【００６６】
ここで、信号の取得間隔が短い信号（つまり、所定時間内における変化が大きい信号）の記憶時間を長くすると、記憶部１３０の記憶容量に占めるログ情報１３４のデータ量が大きくなってしまい、記憶部１３０の記憶容量が不足する場合がある。このため、決定部１２６は、例えば、監視対象情報１３２に示される他の信号の取得間隔と、当該信号のデータ量と、当該信号の記憶時間とに基づいて、記憶部１３０の空き容量を算出する。また、決定部１２６は、算出した空き容量によって記憶可能な時間だけ記憶時間を長くするように、監視対象情報１３２を変更する。これにより、記憶制御装置１００は、ログ情報１３４に故障の予兆が生じている監視対象の情報をより長く記憶することができる。
【００６７】
なお、決定部１２６は、所定の変化が生じたと判定された場合であっても、監視対象情報１３２が示す当該信号の取得間隔が短い場合、監視対象情報１３２の記憶時間を長くする変更を行わなくてもよい。
【００６８】
また、決定部１２６は、監視対象情報１３２に基づいて、所定の変化が生じたと判定された信号以外の他の信号の記憶時間を短くし、又は当該他の信号の記憶時間を「０」にし（つまり、記憶を停止し）、所定の変化が生じたと判定された信号の記憶時間を長くしてもよい。また、決定部１２６は、監視対象情報１３２に基づいて、所定の変化が生じたと判定された信号以外の他の信号の取得間隔を長くし、所定の変化が生じたと判定された信号の記憶時間を長くしてもよい。
【００６９】
決定部１２６が決定態様（Ｂ）を実行することにより、所定の変化が生じた「第１センサ」に対応付けられた記憶時間であり、長く変更された記憶時間は、「第２期間」の一例である。「第２期間」は、上述した「第１期間」よりも時間的に長い期間である。
【００７０】
また、決定部１２６が決定態様（Ｂ）を実行することにより、「第１センサ」の記憶時間が「第２時間」に変更されることに伴って、取得期間が長く変更される、或いは記憶時間が短くに変更される電圧センサＶＭ、電流センサＡＭ、温度センサＴＭ、又は制御装置７は、「第３センサ」の一例である。決定部１２６によって取得期間が長く変更される処理は、「第４動作」の一例である。決定部１２６によって記憶時間が短く変更される処理は、「第５動作」の一例である。決定部１２６によって記憶時間が「０」にされる（つまり、記憶を停止される）動作は、「第６動作」の一例である。
【００７１】
また、「第３センサ」に予め対応付けられる記憶時間は、「第４期間」の一例であり、決定態様（Ｂ）に伴い変更された後の記憶時間は、「第５期間」の一例である。「第５期間」は、「第４期間」よりも時間的に短い期間である。また、「第３センサ」に予め対応付けられる取得間隔は、「第４サンプリング周期」の一例であり、決定態様（Ｂ）に伴い変更された後の取得間隔は、「第５サンプリング周期」の一例である。「第５サンプリング周期」は、上述した「第４サンプリング周期」よりも時間的に短い周期である。また、「第３センサ」である信号供給元から供給（取得）される信号が示す情報は、「第３監視内容」の一例である。
【００７２】
＜３．５．３  決定態様（Ｃ）の決定処理例＞
以下、決定部１２６が、判定部１２４によって所定の変化が生じたと判定された信号に対し、（Ｃ）信号を取得する取得間隔を短くすると決定（変更）する決定処理の詳細について説明する。
【００７３】
例えば、電力変換装置１に故障が生じ、故障の原因究明を行う場合には、ログ情報１３４には、より詳細に（つまり、所定時間内における信号の取得数が多い）情報が記憶されていることが好ましい。決定部１２６は、判定条件（１）を満たすと判定された信号を、より細かく記憶するように、監視対象情報１３２の取得間隔を短く変更する。
【００７４】
ここで、所定時間内における変化が少ない信号（例えば、温度を測定した測定信号等）は、取得間隔を短くし、より詳細に情報を記憶したとしても、発生した故障の原因究明等に役立たない場合がある。このため、決定部１２６は、例えば、監視対象情報１３２に示される信号のうち、所定時間内における変化が大きい信号の取得間隔を短くするように、監視対象情報１３２を変更する。これにより、記憶制御装置１００は、ログ情報１３４に故障の予兆が生じている監視対象の情報をより詳細に記憶することができる。
【００７５】
決定部１２６が決定態様（Ｃ）を実行することにより、予め監視対象情報１３２に記憶される信号供給元である「第１センサ」に対応付けられた取得間隔であり、短くされた取得間隔は、「第２サンプリング周期」の一例である。「第２サンプリング周期」は、上述した「第１サンプリング周期」よりも時間的に短い周期である。
【００７６】
＜３．５．４  決定態様（Ａ）（Ｂ）の決定処理例＞
また、例えば、判定部１２４は、各セルユニット６の温度センサＴＭ１〜ＴＭ３の平均温度を導出し、導出した平均温度が所定の閾値を超えたか否かを判定する。決定部１２６は、判定部１２４によって、導出した平均温度が所定の閾値を超えたと判定される（つまり、判定条件（１）を満たす）場合、決定態様（Ａ）と、決定態様（Ｂ）と、決定態様（Ｃ）とを実行する。この場合、決定態様（Ａ）は、監視対象情報１３２のうち、これまでに温度センサＴＭの情報を取得していたセルユニット６の取得を停止し、平均温度が所定の閾値を超えたセルユニット６の記憶時間を、１２５０［ｓ］から２５００［ｓ］に変更する。
【００７７】
また、例えば、決定部１２６は、過去にセルユニット異常で停止したセルユニット６であって、且つ自動リトライ機能によって復帰したセルユニット６について、決定態様（Ａ）と、決定態様（Ｂ）と、決定態様（Ｃ）とを実行する。この場合、決定態様（Ａ）は、監視対象情報１３２のうち、これまでに情報を取得していたセルユニット６の取得を停止し、自動リトライ機能によって復帰したセルユニット６について情報を取得する。
【００７８】
これにより、電力変換装置１は、取得対象を、故障の予兆が生じている監視対象の情報に変更することができる。
【００７９】
＜３．５．５  決定態様（Ｂ）（Ｃ）の決定処理例＞
例えば、判定部１２４は、各セルユニット６から負荷Ｌへの出力電流と、負荷Ｌへの出力電流の基本波電流成分とに基づいて、最大値と最小値の差分Δｉｒｉｐ１を相毎に導出し、導出された差分Δｉｒｉｐ１が所定の閾値を超えたか否かを判定する。決定部１２６は、判定部１２４によって差分Δｉｒｉｐ１が所定の閾値を超えたと判定される（つまり、判定条件（１）を満たす）場合、決定態様（Ｂ）と、決定態様（Ｃ）とを実行する。この場合、決定態様（Ｂ）は、取得間隔を５［ｋＨｚ］から１０［ｋＨｚ］に変更することであって、決定態様（Ｃ）は、記憶時間を５００［ｍｓ］から２５０［ｍｓ］に変更することである。
【００８０】
例えば、判定部１２４は、各セルユニット６の温度センサＴＭ１〜ＴＭ３の平均温度を導出し、導出した平均温度の一部または全部が、複数の信号の平均値から乖離するか否かを判定する。決定部１２６は、判定部１２４によって平均温度の一部または全部が、複数の信号の平均値から乖離すると判定される（つまり、判定条件（３）を満たす）場合、決定態様（Ｂ）と、決定態様（Ｃ）とを実行する。この場合、決定態様（Ｂ）は、取得間隔を１［Ｈｚ］から０．５［Ｈｚ］に変更することであって、決定態様（Ｃ）は、記憶時間を１２５０［ｓ］から２５００［ｓ］に変更することである。
【００８１】
上述したように、決定部１２６が、決定態様（Ｂ）と、決定態様（Ｃ）とを実行することにより、電力変換装置１は、故障の予兆が生じている監視対象の情報をより詳細に記憶しつつ、且つ記憶部１３０の記憶容量に占める当該情報のデータ量が大きくなることを抑制することができる。
【００８２】
＜３．５．６  決定態様（Ａ）（Ｂ）（Ｃ）の決定処理例＞
また、例えば、判定部１２４は、各セルユニット６から負荷Ｌへの出力電流と、負荷Ｌへの出力電流の基本波電流成分との差分Δｉｒｉｐ２を相毎に導出し、導出した差分Δｉｒｉｐ２の一部または全部が、複数の信号の平均値から乖離するか否かを判定する。決定部１２６は、判定部１２４によって導出した差分Δｉｒｉｐ２の一部または全部が、複数の信号の平均値から乖離すると判定される（つまり、判定条件（３）を満たす）場合、決定態様（Ａ）と、決定態様（Ｂ）と、決定態様（Ｃ）とを実行する。この場合、決定態様（Ａ）は、監視対象情報１３２のうち、これまでに各種情報を取得していたセルユニット６の取得間隔を５［ｋＨｚ］から、１０［ｋＨｚ］に変更し、記憶時間を２５０［ｍｓ］から５００［ｍｓ］に変更することであって、且つ、差分Δｉｒｉｐ２が最大であるセルユニット６の取得間隔を１０［ｋＨｚ］から、５［ｋＨｚ］に変更し、記憶時間を２５０［ｍｓ］から５００［ｍｓ］に変更することである。これにより、電力変換装置１は、故障の予兆が生じている監視対象の情報に変更することができる。
【００８３】
＜３．５．４  他の決定処理：監視対象情報の偏りの抑止＞
なお、決定部１２６は、監視対象情報１３２の中から、所定の変化が生じたと判定された信号と同一のチャネルが対応付けられた情報を選択し、選択された情報を変更することによって監視対象情報１３２を変更することが好ましい。これにより、記憶制御装置１００は、ログ情報１３４の内容が、あるチャネルの内容に偏ることを抑制することができる。
【００８４】
＜３．５．５  他の決定処理：周辺監視対象の記憶＞
また、決定部１２６は、所定の変化が生じたと判定された信号の他、当該信号の供給する電圧センサＶＭ、電流センサＡＭ、或いは温度センサＴＭから物理的に近い位置に配置される監視対象の信号をログ情報１３４として記憶するように、監視対象情報１３２を変更してもよい。これにより、記憶制御装置１００は、故障の予兆が生じている監視対象と、当該監視対象の周辺の情報をログ情報１３４として記憶することができる。
【００８５】
＜３．５．６  他の決定処理：故障箇所の記憶＞
また、決定部１２６は、電力変換装置１が故障した場合、故障後の監視対象情報１３２に故障した監視対象を含めるように、決定態様（Ａ）監視対象情報１３２を変更してもよい。また、決定部１２６は、故障した監視対象の信号供給元が供給する信号に対して、決定態様（Ｂ）〜（Ｃ）のいずれかを行ってもよい。これにより、記憶制御装置１００は、一度故障した監視対象の経過を確認することができる。この場合、故障後の復旧操作、或いは故障に伴う緊急停止信号（アラート）は、「所定の動作」の一例である。
【００８６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８７】
１…電力変換装置、５…入力変圧器、６…セルユニット、６Ａ…第１相のセルユニット、６Ｂ…第２相のセルユニット、６Ｃ…第３相のセルユニット、７…制御装置、１２…コンバータ、１３…インバータ、２０…筐体、２１…開口部、２２…前面カバー、２２ａ…通気部、２３…棚板、２４…収容部、２５…第１仕切り部材、２６…第２仕切り部材、２７…ファン、１００…記憶制御装置、１１０…通信部、１２０…制御部、１２２…取得部、１２４…判定部、１２６…決定部、１２８…選択部、１３０…記憶部、１３２…監視対象情報、１３４…ログ情報、ＡＭ、ＡＭ１、ＡＭ２、ＡＭ３…電流センサ、ＶＭ…電圧センサ、Ｎ…負極、Ｐ…正極、Ｃ…中性点、ＣＵＣ…セルユニット制御部、Ｌ…負荷、ＰＳ…交流電源、ＴＭ、ＴＭ１、ＴＭ２、ＴＭ３…温度センサ
【要約】
実施形態の電力変換装置は、セルユニットと、第１センサと、第２センサと、記憶部と、第１制御部と、第２制御部とを備えている。前記第１制御部は、前記第１センサの出力結果と前記第２センサの出力結果とのうち少なくとも一方に基づいて前記セルユニットを制御する、又は保護する。前記第２制御部は、前記第１センサの出力結果と前記第２センサの出力結果とのうち少なくとも一方の変化が第１条件を満たす場合に、前記第１センサの出力結果を前記記憶部に保持させる第１動作、第１期間よりも長い第２期間に亘って前記第１センサの出力結果を前記記憶部に保持させる第２動作、および前記第１センサの出力結果に代えて前記第２センサの出力結果を保持させる第３動作のうち少なくとも一つを実行する。【図１】
0006661054.tif 000002
【図２】
0006661054.tif 000003
【図３】
0006661054.tif 000004
【図４】
0006661054.tif 000005
【図５】
0006661054.tif 000006
【図６】
0006661054.tif 000007
【図７】
0006661054.tif 000008
【図８】
0006661054.tif 000009